(57)【要約】      （修正有）【課題】ディスクスロットローディング機構の連動連結を確実に維持する。【解決手段】シャーシ本体１Ａと蓋板１Ｂとからなるローダーシャーシ１内にターンテーブル３と光ピックアップとを搭載したトラバースシャーシが回動可能に配置され、ターンテーブル３に対向するクランパ１１が蓋板１Ｂのクランパホルダ１２内に昇降可能に配置され、蓋板１Ｂの裏面側にディスクストッパ１６が移動可能に配置されると共に、蓋板１Ｂの表面側にディスクアーム２０が回動可能に配置され、ディスクアーム２０の先端部に形成した連結孔をディスクストッパ１６の連結ピン２３に嵌合させ、ディスクアーム２０の先端部に一体突設した延長部３１に対向してクランパホルダ１２に突起片３２が一体形成されており、ディスクストッパ１６をアンローデング位置Ａに待機させた状態でディスクアーム２０の延長部３１を突起片３２と蓋板１Ｂとの間に遊嵌入させた。【選択図】図１
2012099186.tif 000002
【特許請求の範囲】
【請求項１】
シャーシ本体と蓋板とからなるローダーシャーシの前面にディスク挿入口が形成され、
該ローダーシャーシ内にターンテーブルと光ピックアップとを搭載したトラバースシャー
シが回動可能に配置され、ターンテーブルに対向するクランパが蓋板のクランパホルダ内
に昇降可能に配置され、前記蓋板の裏面側にディスクストッパが移動可能に配置されると
共に、該蓋板の表面側にディスクアームが回動可能に配置され、該ディスクアームの先端
部に形成した連結孔を前記ディスクストッパの連結ピンに嵌合させることにより、そのデ
ィスクアームとディスクストッパとが連動連結されており、ディスク挿入口にスロットイ
ンしたディスクでアンローデング位置のディスクストッパを所定のローディング位置まで
押し出すことにより、該ディスクをターンテーブルと同心状に位置決めし、それに連動す
るディスクアームを介してトラバースシャーシが回動されることによりターンテーブルと
クランパとでディスクをクランプし、該ターンテーブルにより高速回転されるディスクに
記録されている情報を光ピックアップで読み取るようにしたディスク装置において、前記
ディスクアームの先端部に対向してクランパホルダに突起片が一体形成されており、ディ
スクストッパをアンローデング位置に待機させた状態でディスクアームの先端部または該
先端部に突設した延長部を突起片と蓋板との間に遊嵌入させるようにしたことを特徴とす
るディスク装置。
【請求項２】
前記ディスクアームの先端部に対向して蓋板に切起こし片が一体形成されており、ディ
スクストッパをローディング位置に待機させた状態でディスクアームの先端部または該先
端部に突設した延長部を切起こし片と蓋板との間に遊嵌入させるようにしたことを特徴と
する請求項１に記載のディスク装置。
【発明の詳細な説明】
【技術分野】
【０００１】
本発明は、ディスク装置に関し、特に、ディスクスロットローディング機構の連動連結
を簡単安価な構造で確実に維持することができるようにしたものである。
【背景技術】
【０００２】
従来、ディスク装置の一例として図５〜図９に示すものがあり、これは、ディスクスロ
ットローディング機構を備えたＢｌｕ−ｒａｙ  Ｄｉｓｃ式のレコーダ（またはプレーヤ
）であって、図５及び図６はアンローディング状態を示し，図７はローディング状態を示
し、図８及び図９は同要部を示している。
【０００３】
図５及び図６に示すように、シャーシ本体１Ａと、該シャーシ本体１Ａに被せた蓋板１
Ｂとからなるローダーシャーシ１を有し、直径８ｃｍの小形ディスクＤａと直径１２ｃｍ
の大形ディスクＤｂとをスロットインａ及びスロットアウトｂするためのディスク挿入口
２がローダーシャーシ１の前面に形成され、ターンテーブル３付きスピンドルモータ４と
ディスクＤａ，Ｄｂの半径方向に沿って移動可能な光ピックアップ５とを搭載したトラバ
ースシャーシ６がローダーシャーシ１内に配置されている。
【０００４】
前記トラバースシャーシ６の後部が支軸７を介してローダーシャーシ１に矢印ｃ，ｄ方
向に回動可能に枢支され、シャーシ本体１Ａの前部にカムスライダ８が矢印ａ，ｂ方向と
は直交する左右方向ｅ，ｆにスライド可能に配置され、該カムスライダ８に形成したカム
溝９ａと、トラバースシャーシ６の前面に一体突設されてカム溝９ａに嵌入するカムピン
９ｂとからなるカム機構９によりカムスライダ８とトラバースシャーシ６とが連動連結さ
れている。
【０００５】
図５及び図６に示すように、ターンテーブル３に対向するクランパ１１が蓋板１Ｂのク
ランパホルダ１２内に昇降可能に配置され、該クランパ１１を弾性的に押すための押さえ
枠１３が設けられており、そのクランパ１１とターンテーブル３とでディスクＤａ，Ｄｂ
をクランプする。
【０００６】
図５、図８及び図９に示すように、蓋板１Ｂの中央から後方に向けてに矢印ａ，ｂ方向
に沿って長孔１５が形成され、本体１６ａと、該本体１６ａから直角に折れ曲がる円弧板
１６ｂと、該円弧板１６ｂの両端前面に一体形成した一対の円柱１６ｃとを有するディス
クストッパ１６が蓋板１Ｂの裏面側に配置され、該ディスクストッパ１６に一体突設した
ガイド片１７を長孔１５内に移動可能に挿入し、該ガイド片１７の両端から左右に延びる
係合片１８を蓋板１Ｂの表面に係合させることにより、そのディスクストッパ１６が長孔
１５に沿って移動可能に形成されている。
【０００７】
図５、図８及び図９に示すように、蓋板１Ｂの表面側にディスクアーム２０が支軸２１
を中心に矢印ｇ，ｈ方向に回動可能に配置され、該ディスクアーム２０の先端に形成した
長孔状連結孔２２を前記ガイド片１７の中央に突設した円柱状連結ピン２３に嵌合させる
ことにより、ディスクアーム２０とディスクストッパ１６とが連動連結されており、ディ
スクＤａ，Ｄｂによりアンローデング位置Ａ（図５実線参照）のディスクストッパ１６を
押すことにより、該ディスクストッパ１６が矢印ａ方向に移動されて、小形ディスクＤａ
は小形ディスクローディング位置Ｂ（図５一点鎖線参照）に停止され、大形ディスクＤｂ
は大形ディスクローディング位置Ｃ（図５二点鎖線参照）に停止され、それに連動してデ
ィスクアーム２０が矢印ｇ方向に回動される。
【０００８】
図５に示すように、シャーシ本体１Ａの側部に連結部材２５が矢印ａ，ｂ方向に移動可
能に配置されてばね（図示せず）により矢印ａに引っ張られ、該連結部材２５の一端部が
ディスクアーム２０の基端に突設した連結杆２０ａに連結され、その連結部材２５の他端
部とカムスライダ８とが係合機構（図示せず）を介して係脱可能に係合されている。
【０００９】
図６に示すように、ディスク挿入口２に対向してシャーシ本体１Ａの前部に搬送ローラ
２６が正逆回転可能に配置され、該搬送ローラ２６に対向して蓋板１Ｂの裏面側にフラッ
プ２７が枢支軸２８回りで回動可能に配置され、該フラップ２７の前端縁にストッパ片２
７ａが設けられると共に、そのフラップ２７の後端縁に円弧状凸部２７ｂが形成され、該
凸部２７ｂを搬送ローラ２６に向けて付勢する押さえばね２９がフラップ２７と蓋板１Ｂ
との間に介在されている。
【００１０】
動作を説明すると、図５の実線及び図６はアンローディング状態を示すものであって、
ディスクＤａ，Ｄｂをディスク挿入口２にスロットインａすると、それを検知するセンサ
の検知信号に基づいて搬送ローラ２６を回転させ、その回転する搬送ローラ２６とフラッ
プ２７とにより挟まれたディスクＤａ，Ｄｂがローダーシャーシ１内に送り込まれる。
【００１１】
その送り込まれたディスクＤａ，Ｄｂによりアンローデング位置Ａのディスクストッパ
１６が矢印ａ方向に押し出され、それに連動してディスクアーム２０を介して連結部材２
５が矢印ｂ方向に所定距離移動し、該連結部材２５とカムスライダ８との間に設けた係合
機構（図示せず）の作用により、小形ディスクＤａの場合には、ディスクストッパ１６が
小形ディスクローディング位置Ｂまで移動されて、該小形ディスクＤａをターンテーブル
３と同心状に位置決めし、大形ディスクＤｂの場合には、ディスクストッパ１６が大形デ
ィスクローディング位置Ｃまで移動されて、該大形ディスクＤｂをターンテーブル３に同
心状に位置決めする。
【００１２】
前記連結部材２５の矢印ｂ方向への移動に連動して係合機構（図示せず）の作用により
、カムスライダ８が矢印ｅ方向にわずかにスライドされ、該カムスライダ８に設けたカム
ラック（図示せず）が駆動ピニオン（図示せず）に噛合される。
【００１３】
その後、駆動ピニオン（図示せず）の回転によりカムスライダ８を矢印ｅ方向にスライ
ドさせ、カム機構９によりトラバースシャーシ６を矢印ｃ方向に回動させ、図７に示すよ
うに、ターンテーブル３でディスクＤａ，Ｄｂを持ち上げ、該ディスクＤａ，Ｄｂをター
ンテーブル３とクランパ１１とでクランプする。
【００１４】
それと同時に、カムスライダ８をフラップ２７に係合させることにより、該フラップ２
７を押さえばね２９に抗して枢支軸２８回りで回動させてディスクＤａ，Ｄｂから離間さ
せ、そのフラップ２７のストッパ片２７ａによりディスク挿入口２を塞ぎ、ディスクスト
ッパ１６を矢印ａ方向に若干移動させてディスクＤａ，Ｄｂから離間させる。
【００１５】
続いて、スピンドルモータ４によりターンテーブル３を介してディスクＤａ，Ｄｂを高
速回転させ、光ピックアップ５を該ディスクＤａ，Ｄｂの半径方向に移動させて、該光ピ
ックアップ５によりディスクＤａ，Ｄｂに記録されている情報を読み取る。なお、関連す
る技術として特許文献１に記載したものがある。
【先行技術文献】
【特許文献】
【００１６】
【特許文献１】特開２００７−８０３３７号公報
【発明の概要】
【発明が解決しようとする課題】
【００１７】
上記従来の構成では、ディスクスロットローディング機構の連動連結を円滑に行うため
に、ディスクアーム２０の連結孔２２とディスクストッパ１６の連結ピン２３とをルーズ
に嵌合させているから、例えばディスク装置の搬送中やローディング時に振動などで衝撃
が加わったときに、ディスクアーム２０の先端部が揺動して蓋板１Ｂから離間されること
により、連結孔２２が連結ピン２３から外れ（図９仮想線参照）、その連動連結が解除さ
れるおそれがある。
【００１８】
そこで、連結ピン２３の頂面にビス孔を形成し、該ビス孔に抜止用ビスをねじ込んで、
そのビスの頭部で連結孔２２が連結ピン２３から外れないようにすることも考えられるが
、これでは、ビスにより部品点数が増加すると共に、そのビスのねじ込みに手間がかかり
、製作費が高くつく。
【００１９】
本発明は、上記従来の欠点に鑑み、ディスクスロットローディング機構の連動連結を簡
単安価な構造で確実に維持することができるようにしたディスク装置を提供することを目
的としている。
【課題を解決するための手段】
【００２０】
上記目的を達成するため、請求項１に記載の発明は、シャーシ本体と蓋板とからなるロ
ーダーシャーシの前面にディスク挿入口が形成され、該ローダーシャーシ内にターンテー
ブルと光ピックアップとを搭載したトラバースシャーシが回動可能に配置され、ターンテ
ーブルに対向するクランパが蓋板のクランパホルダ内に昇降可能に配置され、前記蓋板の
裏面側にディスクストッパが移動可能に配置されると共に、該蓋板の表面側にディスクア
ームが回動可能に配置され、該ディスクアームの先端部に形成した連結孔を前記ディスク
ストッパの連結ピンに嵌合させることにより、そのディスクアームとディスクストッパと
が連動連結されており、ディスク挿入口にスロットインしたディスクでアンローデング位
置のディスクストッパを所定のローディング位置まで押し出すことにより、該ディスクを
ターンテーブルと同心状に位置決めし、それに連動するディスクアームを介してトラバー
スシャーシが回動されることによりターンテーブルとクランパとでディスクをクランプし
、該ターンテーブルにより高速回転されるディスクに記録されている情報を光ピックアッ
プで読み取るようにしたディスク装置において、前記ディスクアームの先端部に対向して
クランパホルダに突起片が一体形成されており、ディスクストッパをアンローデング位置
に待機させた状態でディスクアームの先端部または該先端部に突設した延長部を突起片と
蓋板との間に遊嵌入させるようにしたことを特徴としている。
【００２１】
請求項２に記載の発明は、請求項１に記載の発明において、前記ディスクアームの先端
部に対向して蓋板に切起こし片が一体形成されており、ディスクストッパをローディング
位置に待機させた状態でディスクアームの先端部または該先端部に突設した延長部を切起
こし片と蓋板との間に遊嵌入させるようにしたことを特徴としている。
【発明の効果】
【００２２】
請求項１に記載の発明によれば、ディスクストッパをアンローデング位置に待機させた
状態でディスクアームの先端部または該先端部に突設した延長部を突起片と蓋板との間に
遊嵌入させているので、例えばディスク装置の搬送中に振動などで衝撃が加わることによ
りディスクアームの先端部が揺動されても、その先端部の揺動が突起片により規制される
から、ディスクアームの連結孔がディスクストッパの連結ピンから外れることがなく、デ
ィスクスロットローディング機構の連動連結を確実に維持することができる。
【００２３】
前記突起片がクランパホルダに一体形成されているから、部品点数が増加せず、構造が
簡単安価で製作費を安くすることができる。
【００２４】
請求項２に記載の発明によれば、ディスクストッパをローデング位置に待機させた状態
でディスクアームの先端部または該先端部に突設した延長部を切起こし片と蓋板との間に
遊嵌入させているので、ローディング時に振動などで衝撃が加わることによりディスクア
ームの先端部が揺動されても、その先端部の揺動が切起こし片により規制されるから、デ
ィスクアームの連結孔がディスクストッパの連結ピンから外れることがなく、ディスクス
ロットローディング機構の連動連結を確実に維持することができる。
【００２５】
前記切起こし片が蓋板に一体形成されているから、部品点数が増加せず、構造が簡単安
価で製作費を安くすることができる。
【図面の簡単な説明】
【００２６】
【図１】本発明の実施の一形態であるディスク装置の平面図である。
【図２】同要部の斜視図である。
【図３】（ａ）は図２のＡ−Ａ矢視図、（ｂ）はＣ−Ｃ矢視図である。
【図４】図２のＢ−Ｂ矢視図である。
【図５】従来例のアンローディング状態を示す平面図である。
【図６】同アンローディング状態の縦断面図である。
【図７】同ローディング状態の縦断面図である。
【図８】同要部の斜視図である。
【図９】図８のＤ−Ｄ矢視図である。
【発明を実施するための形態】
【００２７】
図１〜図４は本発明の実施の一形態であるディスク装置を示すものであり、これはディ
スクスロットローディング機構を備えたＢｌｕ−ｒａｙ  Ｄｉｓｃ式のレコーダ（または
プレーヤ）であって、合成樹脂製ディスクアーム２０の先端部に延長部３１が一体突設さ
れ、該延長部３１に対向して、合成樹脂製クランパホルダ１２に突起片３２が一体形成さ
れると共に、金属板製蓋板１Ｂに切起こし片３３が形成されている。上記以外の構成は図
５〜図９に示す構成とほぼ同じであるから、同一部分に同一符号を付してその説明を省略
する。
【００２８】
図２及び図３に示すように、前記延長部３１は、ディスクアーム２０の長手方向に沿っ
て該ディスクアーム２０の先端部よりも先方に突出され、その延長部３１の厚さｔ１がデ
ィスクアーム２０の先端部の厚さｔ２よりも小さく設定されている。
【００２９】
図２及び図３に示すように、前記突起片３２は、クランパホルダ１２の外周面端縁から
側方に突出され、該突起片３２と蓋板１Ｂとの間の間隔ｔ３が延長部３１の厚さｔ１より
も大きく設定されており、ディスクストッパ１６をアンローデング位置Ａに待機させてい
るときに延長部３１を突起片３２と蓋板１Ｂとの間に遊嵌入させる（図１及び図２実線参
照）。
【００３０】
図２及び図４に示すように、前記切起こし片３３は、蓋板１Ｂにコ字状スリットを形成
して切り残した部分を引き起こしてＬ字状に折り曲げたものであって、該切起こし片３３
と蓋板１Ｂとの間の間隔ｔ４が延長部３１の厚さｔ１よりも大きく設定されており、ディ
スクストッパ１６を小形ディスクローディング位置Ｂ及び大形ディスクローディング位置
Ｃに待機させているときに延長部３１を切起こし片３３と蓋板１Ｂとの間に遊嵌入させる
（図１及び図２仮想線参照）。
【００３１】
上記構成において、図１及び図２の実線は、ディスクストッパ１６をアンローデング位
置Ａに待機させた状態を示すものであって、延長部３１を突起片３２と蓋板１Ｂとの間に
遊嵌入させており（図３参照）、この状態でディスク装置に振動などで衝撃が加わること
によりディスクアーム２０の先端部が揺動されても、その先端部の揺動が突起片３２によ
り規制されるから、ディスクアーム２０の連結孔２２がディスクストッパ１６の連結ピン
２３から外れることがなく、ディスクスロットローディング機構の連動連結を確実に維持
することができる。
【００３２】
図１及び図２の仮想線は、小形ディスクＤａまたは大形ディスクＤｂをローディングし
て（図７参照）、ディスクストッパ１６を小形ディスクローディング位置Ｂまたは大形デ
ィスクローディング位置Ｃに待機させた状態を示すものであって、延長部３１を切起こし
片３３と蓋板１Ｂとの間に遊嵌入させており（図４参照）、この状態でディスク装置に振
動などで衝撃が加わることによりディスクアーム２０の先端部が揺動されても、その先端
部の揺動が切起こし片３３により規制されるから、ディスクアーム２０の連結孔２２がデ
ィスクストッパ１６の連結ピン２３から外れることがなく、ディスクスロットローディン
グ機構の連動連結を確実に維持することができる。
【００３３】
上記構成によれば、突起片３２がクランパホルダ１２に一体形成されると共に、切起こ
し片３３が蓋板１Ｂに一体形成されているから、部品点数が増加せず、構造が簡単安価で
製作費を安くすることできる。
【００３４】
上記実施の形態では、ディスクアーム２０の先端部に延長部３１を一体突設したが、そ
の延長部３１を設けず、ディスクアーム２０の先端部を突起片３２と蓋板１Ｂとの間及び
切起こし片３３と蓋板１Ｂとの間に遊嵌入させるようにしてもよい。
【符号の説明】
【００３５】
１        ローダーシャーシ
１Ａ      ローダーシャーシのシャーシ本体
１Ｂ      ローダーシャーシの蓋板
２        ディスク挿入口
３        ターンテーブル
５        光ピックアップ
６        トラバースシャーシ
１１      クランパ
１２      クランパホルダ
１６      ディスクストッパ
２０      ディスクアーム
２２      連結孔
２３      連結ピン
３１      延長部
３２      突起片
３３      切起こし片
Ａ        アンローデング位置
Ｂ        小形ディスクローディング位置
Ｃ        大形ディスクローディング位置
Ｄａ      小形ディスク
Ｄｂ      大形ディスク
ａ        スロットイン
【図１】
2012099186.tif 000003
【図２】
2012099186.tif 000004
【図３】
2012099186.tif 000005
【図４】
2012099186.tif 000006
【図５】
2012099186.tif 000007
【図６】
2012099186.tif 000008
【図７】
2012099186.tif 000009
【図８】
2012099186.tif 000010
【図９】
2012099186.tif 000011